(57)【要約】      （修正有）【課題】アーティフィシャルフラワー等の装飾品に光触媒処理が施され、周辺空気を浄化する消臭・除菌・環境改善に優れ、使い勝手がよい装飾品を提供する。【解決手段】アーティフィシャルフラワー１の表面にアンダーコート層８が塗布して形成され、アンダーコート層の上に二酸化チタンより成る光触媒９が塗布して形成されていると共に、アーティフィシャルフラワーには引っ掛け可能な自在紐３が取り付けられている。特にアーティフィシャルフラワーをなすボール状花本体２の上部２０に、自在紐が２本取り付けられ、自在紐には複数の係止片４が設けられているのが好ましい。【選択図】図１
0003203861.tif 000002
【実用新案登録請求の範囲】
【請求項１】
アーティフィシャルフラワーの表面にアンダーコート層が形成され、そのアンダーコート層の上に二酸化チタンより成る光触媒層が形成されていると共に、当該アーティフィシャルフラワーには引っ掛け可能な自在紐が取り付けられた構成であることを特徴とする、光触媒処理が施された装飾品。
【請求項２】
アーティフィシャルフラワーをなすボール状花本体の上部に、１本の紐状の自在紐が２本取り付けられていることを特徴とする、請求項１に記載した光触媒処理が施された装飾品。
【請求項３】
自在紐には、複数の係止片が設けられていることを特徴とする、請求項１又は２に記載した光触媒処理が施された装飾品。
【請求項４】
自在紐の表面にアンダーコート層が形成され、そのアンダーコート層の上に二酸化チタンより成る光触媒層が形成されていることを特徴とする、請求項１〜３のいずれか１項に記載した光触媒処理が施された装飾品。
【請求項５】
ブローチの表面にアンダーコート層が形成され、そのアンダーコート層の上に二酸化チタンより成る光触媒層が形成された構成であることを特徴とする、光触媒処理が施された装飾品。
【請求項６】
ネックストラップの表面にアンダーコート層が形成され、そのアンダーコート層の上に二酸化チタンより成る光触媒層が形成された構成であることを特徴とする、光触媒処理が施された装飾品。
【考案の詳細な説明】
【技術分野】
【０００１】
本考案は、設置した周辺の空気を浄化する消臭・除菌・環境改善に優れた光触媒の性質を生かし、アーティフィシャルフラワー（造花）やブローチ、ネックストラップ等に光触媒処理が施された装飾品の技術分野に関する。
【背景技術】
【０００２】
近年脚光を浴びている光触媒の正体は二酸化チタンである。チタン合金は軽くて丈夫、体に良く、その主原料のチタンを酸化させた二酸化チタンは、太陽光や室内照明などから出る日常的に存在する光の力を受けることによってその表面で強力な分解力が生まれる。
【０００３】
二酸化チタン自体は半永久的に変化しないため、光が当たる限り、空気中を浮遊しながら近づいてくる細菌、雑菌、カビ菌、ウィルス、シックハウスの原因となる化学物質や、悪臭、ヤニ汚れ等の有害物質を、光の力で分解、無害化する作用を繰り返す。
【０００４】
一方、アーティフィシャルフラワー（造花）は、お見舞いや、開店、出産、お誕生日等お祝い用のプレゼントとして最適である。このアーティフィシャルフラワーに光触媒処理を施して使用できれば、設置した周辺の空気を浄化する消臭・除菌・環境改善に優れてよい。
【０００５】
従来の光触媒が施された造花として、例えば下記特許文献１（特開２００６−２０７０３９号）の技術が公知に属する。
すなわち、特許文献１には、「花、蕾、葉、茎の少なくとも一部に光触媒を配設すると共に、花、蕾、葉、茎の少なくとも一部に芳香剤を配設し、その芳香剤が配設された部分を着脱可能に設けたことを特徴とする造花植物類」が記載されている（同文献１の特許請求の範囲の請求項１）。
【先行技術文献】
【特許文献】
【０００６】
【特許文献１】特開２００６−２０７０３９号公報
【考案の概要】
【考案が解決しようとする課題】
【０００７】
前記特許文献１に記載された発明の造花植物類は、花、蕾、葉、茎の少なくとも一部に光触媒を配設しているので、光触媒の有する消臭・除菌・環境改善に一部寄与する。
【０００８】
しかし、この一部に光触媒を配設した造花植物類は、吊って使用する必要があっても、吊るすことはできないので、テーブルやフロアー等に置いて使用するなど、使用態様が限定されるといった問題がある。
【０００９】
また、実用的な従来のブローチやネックストラップ（図４〜図８参照）も、光触媒処理が施されたものがあれば衛生管理上よく、使用したいといった要望もあるが、今のところ実現に至っていない。
【００１０】
したがって、本考案が解決しようとする課題は、アーティフィシャルフラワーに光触媒処理が施され、周辺空気を浄化する消臭・除菌・防汚に優れる上、どこでも吊るして使用できる自在性に優れた装飾品や、ブローチやネックストラップ類にも光触媒処理が施されて衛生的で有用な装飾品を提供することにある。
【課題を解決するための手段】
【００１１】
上記課題を解決するための手段として、請求項１記載の考案の光触媒処理が施された装飾品は、アーティフィシャルフラワー１の表面１０にアンダーコート層８が形成され、そのアンダーコート層８の上に二酸化チタンより成る光触媒層９が形成されていると共に、当該アーティフィシャルフラワー１には引っ掛け可能な自在紐３が取り付けられた構成であることを特徴とする。
【００１２】
請求項２に記載した考案の光触媒処理が施された装飾品は、前記アーティフィシャルフラワー１をなすボール状花本体２の上部２０に、１本の紐状の自在紐３が２本取り付けられていることを特徴とする。
【００１３】
請求項３に記載した考案の光触媒処理が施された装飾品は、前記自在紐３に複数の係止片４・・・が設けられていることを特徴とする。
【００１４】
請求項４に記載した考案の光触媒処理が施された装飾品は、前記自在紐３の表面３０に、珪素化合物より成るアンダーコート８が塗布され、そのアンダーコート８の上に二酸化チタンより成る光触媒９が塗布されていることを特徴とする。
【００１５】
請求項５に記載した考案の光触媒処理が施された装飾品は、ブローチ６の表面６０にアンダーコート層８が形成され、そのアンダーコート層８の上に二酸化チタンより成る光触媒層９が形成された構成であることを特徴とする。
【００１６】
請求項６に記載した考案の光触媒処理が施された装飾品は、ネックストラップ７の表面７０にアンダーコート層８が形成され、そのアンダーコート層８の上に二酸化チタンより成る光触媒層９が形成された構成であることを特徴とする、光触媒処理が施された装飾品。
【考案の効果】
【００１７】
本考案の請求項１に係る光触媒処理が施された装飾品は、アーティフィシャルフラワーの表面全体に光触媒処理が施され、飾った周辺の空気が光を受けてゆっくりと除菌、消臭されると共に、インテリアとしても華やかに演出するので、ペットを飼っている家やプレゼントに適している。
【００１８】
しかも、このアーティフィシャルフラワーには引っ掛け可能な自在紐が取り付けられているので、どこでも吊るして使用できる自由度に優れている。特には衛生面に厳しい病院や施設等のベッドの手摺に、簡単かつ確実に取り付けられ、光触媒の抗菌作用を発揮しつつ、いつでも眺められ心の癒しになる。
また、ブローチやネックストラップ類にも光触媒処理が施されているため、特に免疫力の弱い幼児や病弱の者が、安心して着用できる利便性もある。当該ブローチやネックストラップ類を洗っても、光触媒処理は持続される。
【図面の簡単な説明】
【００１９】
【図１】本考案の光触媒処理が施されたアーティフィシャルフラワーを示した全体図である。
【００２０】
【図２】光触媒処理が施されたアーティフィシャルフラワーの病室での使用状態を示した側面図である。
【００２１】
【図３】光触媒処理が施されたアーティフィシャルフラワーのドアノブでの使用状態を示した部分斜視図である。
【００２２】
【図４】光触媒処理が施されたブローチ１を示した正面図である。
【００２３】
【図５】光触媒処理が施されたブローチ２を示した正面図である。
【００２４】
【図６】光触媒処理が施されたブローチ３を示した正面図である。
【００２５】
【図７】図６の光触媒処理が施されたブローチ３の背面図である。
【００２６】
【図８】光触媒処理が施されたネックストラップを示した正面図である。
【考案を実施するための最良の形態】
【００２７】
本考案の光触媒処理が施された装飾品の好適な実施形態について、以下図面にしたがいながら説明する。本実施形態では、装飾品として、アーティフィシャルフラワーとブローチ、ネックストラップについて説明するが、それらに限定されるものではなく、広い概念の装飾品を含むものである。
【００２８】
図１は、光触媒処理が施されたアーティフィシャルフラワーの全体図を示している。
【００２９】
このアーティフィシャルフラワー１は、中央の花本体２が、ボール状に形成されたラタンの外周に複数の花びら２２・・・が取り付けられて成り、そのボール状花本体２の下部２１に、房飾りのタッセル５が取り付けられている。タッセル５の代りに各種オーナメントを取り付ける形態でも好適に実施される（図示は省略）。花本体２の上部２０には、ベルベットのリボン２３が取り付けられ、装飾効果が高められている。
【００３０】
前記アーティフィシャルフラワー１のボール状花本体２の上部２０に、各種の棒状体に引っ掛け可能な紐状の長さ２７ｃｍの自在紐３が、２本取り付けられている（但し、この自在紐３の本数は２本に限定される訳ではない）。自在紐３の外周３１には、外向きに２ｍｍ突き出たリング状の係止片４・・・が、３ｍｍ間隔で複数設けられている。これら２本の自在紐３、３を交差させて結ぶ際に互いに係止し易く、結んだ後は離脱させないためである。
【００３１】
上記の自在紐３を含むアーティフィシャルフラワー１の表面１０に、まず珪素化合物より成るアンダーコートを、エアガン型スプレーにより薄く均一に塗布してアンダーコート層８を形成する。塗布したアンダーコート層８が乾燥した後、そのアンダーコート層８の上に、二酸化チタンより成る光触媒層９を、エアガン型スプレーにより万遍なく均一に塗布して形成する。
【００３２】
かくして、アーティフィシャルフラワー１の表面１０全体、すなわち、自在紐３の表面３０（係止片４を含む）と花本体２の花びら２２の表面、及びリボン２３とタッセル５の表面が、最初に塗布して形成されたアンダーコート層８上に、光触媒（二酸化チタン）が塗布されて光触媒層９が形成されている上、前記の自在紐３により、当該アーティフィシャルフラワー１をどこでも自由に引っ掛けられる構成になっている。
【００３３】
例えば、図２に示したように、病室や自宅のベッドａの手摺ｂに、２本の自在紐３、３を交差させて簡単に結んで係止でき、係止片４が交互に絡まって容易に離脱することがない。また、図３に示したドアノブｃにも、２本の自在紐３、３を結んで係止させて、楽にアーティフィシャルフラワー１を吊るすことができる。或いは図示を省略した衣類のハンガーラックにも、同様に自在紐３、３を結んで係止でき、光触媒による消臭、防菌が図れる。
【００３４】
そして、このアーティフィシャルフラワー１に施された光触媒たる二酸化チタンは、太陽光や室内照明などから出る日常的に存在する光の力を受けることでその表面で強力な分解力が生まれる。二酸化チタン自体は、半永久的に変化しない。そのため、空気中を浮遊しながら近づいてくる細菌、雑菌、カビ菌、ウィルス、シックハウスの原因となる化学物質や、悪臭、ヤニ汚れ等の有害物質を、光が当たる限り光の力で分解、無害化する作用を繰り返す持続性があり、快適環境をつくり続ける。
【００３５】
図４〜図７は、光触媒処理が施されたブローチを示している。上述したアーティフィシャルフラワー１と同様に、当該布製のブローチ６の表面６０は、珪素化合物より成るアンダーコート層８が形成され、そのアンダーコート層８の上に二酸化チタンより成る光触媒層９が塗布して形成された構成となっている。
【００３６】
図４は、光触媒処理が施された花びら模様のブローチ６であり、図５は、光触媒処理が施された自動車模様のブローチ６を示している。また、図６と図７は、光触媒処理が施された雲形のブローチ６の正面と背面を示している。各ブローチ６の表面全体にわたり光触媒処理が施されているので、これらのブローチ６を襟元に装着する者にとって衛生的である。
【００３７】
図８は、光触媒処理が施されたネックストラップ７を示している。首に引掛け、下端に図示を省略したネームプレートや携帯電話機等を係止して使用されるネックストラップ７の表面７０にも、上記同様に、珪素化合物より成るアンダーコート層８が形成され、そのアンダーコート層８の上に二酸化チタンより成る光触媒層９が形成されている。したがって、衛生管理に留意しなければならない子供や老人がネックストラップ７を使用する際、表面７０に光触媒処理が施されているので安心である。
【符号の説明】
【００３８】
１      アーティフィシャルフラワー
１０    表面
２      ボール状花本体
２０    上部
３      自在紐
３０    表面
３１    外周
４      係止片
６      ブローチ
６０    表面
７      ネックストラップ
７０    表面
８      アンダーコート層
９      光触媒層
【図１】
0003203861.tif 000003
【図２】
0003203861.tif 000004
【図３】
0003203861.tif 000005
【図４】
0003203861.tif 000006
【図５】
0003203861.tif 000007
【図６】
0003203861.tif 000008
【図７】
0003203861.tif 000009
【図８】
0003203861.tif 000010